(57)【要約】【課題】転倒することなく立てかけて収納することができるアップライト型電気掃除機を提供する。【解決手段】本アップライト型電気掃除機は、内部に集塵フィルタを備え細長筒状の掃除機本体と、この掃除機本体の下端部に取付けられた吸込口体と、掃除機本体の上端部から延出する延長部材に設けられた把手とを備え、掃除機本体の背面に平面部が設けられる。【選択図】  図２
2010104583.tif 000002
【特許請求の範囲】
【請求項１】
内部に集塵フィルタを備え細長筒状の掃除機本体と、この掃除機本体の下端部に取付けられた吸込口体と、前記掃除機本体の上端部から延出する延長部材に設けられた把手とを備えたアップライト型電気掃除機において、
前記掃除機本体の背面に平面部が設けられることを特徴とするアップライト型電気掃除機。
【請求項２】
前記平面部には、摩擦抵抗を増加させる凹凸が設けられることを特徴とする請求項１に記載のアップライト型電気掃除機。
【発明の詳細な説明】
【技術分野】
【０００１】
本発明はアップライト型電気掃除機に係り、特に本体ケースの背面に平面部を設けたアップライト型電気掃除機に関するものである。
【背景技術】
【０００２】
従来、電気掃除機には、主として、キャニスター型と、アップライト型が用いられている。
【０００３】
キャニスター型電気掃除機は、集塵室及びこの集塵室に吸込負圧を作用させる掃除機本体と、この集塵室に一端部が連通するように掃除機本体に接続された集塵ホースと、この集塵ホースの他端部に設けられた手元操作パイプと、この手元操作パイプに着脱可能に接続された延長パイプと、この延長パイプに着脱可能に接続された吸込口体等を備えている。
【０００４】
一方、アップライト型電気掃除機は、縦型の掃除機本体に設けた集塵室に連通して、掃除機本体の下端部に吸込口体を設け、また、掃除機本体の上端部近傍に把持部を設け、さらに、掃除機本体の上端部から延出する把手を設けている（例えば、特許文献１参照）。
【０００５】
特許文献１に記載のアップライト型電気掃除機は、不使用時、部屋の隅の壁等に立てかけて収納することが一般的である。
【０００６】
しかしながら、この収納時、表面形状が円弧状で表面積が小さい把持部あるいは把手を壁等に当接させて、掃除機を支持するため、不安定でかつ支持部である把持部や把手が滑りやすい。
【０００７】
従って、立てかけて収納した電気掃除機は転倒しやすい。
【特許文献１】特開平４−１２７１７号公報
【発明の開示】
【発明が解決しようとする課題】
【０００８】
本発明は上述した事情を考慮してなされたもので、転倒することなく立てかけて収納することができるアップライト型電気掃除機を提供することを目的とする。
【課題を解決するための手段】
【０００９】
上述した目的を達成するため、本発明に係るアップライト型電気掃除機は、内部に集塵フィルタを備え細長筒状の掃除機本体と、この掃除機本体の下端部に取付けられた吸込口体と、前記掃除機本体の上端部から延出する延長部材に設けられた把手とを備えたアップライト型電気掃除機において、前記掃除機本体の背面に平面部が設けられることを特徴とする。
【発明の効果】
【００１０】
本発明に係るアップライト型電気掃除機によれば、転倒することなく立てかけて収納することができるアップライト型電気掃除機を提供することができる。
【発明を実施するための最良の形態】
【００１１】
本発明の一実施形態に係るアップライト型電気掃除機について図面を参照して説明する。
【００１２】
図１は本発明の一実施形態に係るアップライト型電気掃除機の正面側の斜視図であり、図２は本電気掃除機の側面を示す概念図である。
【００１３】
図１および図２に示すように、本発明の一実施形態に係るアップライト型電気掃除機１は、掃除機本体２を備える。この掃除機本体２は細長筒状の本体ケース３を備え、この本体ケース３は前ケース４と後ケース５を有する。前ケース４の上端部には上方に開口するパイプ嵌合穴４ａが形成され、前ケース４の上下方向の中間部には前側及び側方に開放する容器収納凹部６が形成される。
【００１４】
容器収納凹部６には、集塵容器７が着脱可能に装着される。この集塵容器７は集塵室７ａを有し、この集塵室７ａはネットフィルタ８、プリーツフィルタ等の細塵フィルタ９を介して電動送風機１０の吸込口１０ａに連通している。これにより、電動送風機１０の吸込負圧が細塵フィルタ９及びネットフィルタ８を介して集塵室７ａに作用するようになっている。
【００１５】
また、本体ケース３内には、上下に延びる吸込パイプ１１が配設される。
【００１６】
この吸込パイプ１１は、下吸込パイプ部１２と、上吸込パイプ部１３を有する。この下吸込パイプ１１は、前後に延びる前後パイプ部１２ａと、この前後パイプ部１２ａの後端から下方に向けて折曲された縦パイプ部１２ｂを有する。この前後パイプ部１２ａの前端は、容器収納凹部６に集塵容器７を装着したときに、集塵容器７の集塵室７ａに連通するようになっている。
【００１７】
さらに、縦パイプ部１２ｂの下端部は、本体ケース３の下端部に固定されていると共に、本体ケース３の下端に開口させられている。更に、上吸込パイプ部１３の下端部は前後パイプ部１２ａの前端部近傍に接続される。
【００１８】
また、本体ケース３の下方には、吸込口体１４が配設されている。この吸込口体１４は、吸込口本体１５と、吸込口本体１５の後縁部に前後に起倒自在に装着された接続パイプ１６を有する。この接続パイプ１６は縦パイプ部１２ｂの下端部に着脱可能に嵌合接続されている。
【００１９】
しかも、吸込口本体１５内には吸込室１７が形成され、この吸込室１７の吸込開口１７ａが吸込口本体１５の下面に開口している。吸込室１７は吸込風路１８を介して接続パイプ１６に連通される。
【００２０】
また、接続パイプ１６の下端部には、シャッター１９が一体に取り付けられている。このシャッター１９は、接続パイプ１６を後方に傾斜させたときに吸込風路１８と接続パイプ１６を連通させ、接続パイプ１６を起立させたときに吸込風路１８と接続パイプ１６との連通を遮断するようになっている。
【００２１】
さらに、上吸込パイプ部１３には集塵ホース２０の一端部が接続される。この集塵ホース２０の他端部には、ハンドル２１ａを設けた手元操作パイプ２１が手元操作部として接続固定され、この手元操作パイプ２１には伸縮可能な延長パイプ２２が取り付けられる。この延長パイプ２２は、大径吸込パイプ２３と、この大径吸込パイプ２３に設けたロック解除ボタン２４の解除により、適宜伸縮自在な小径吸込パイプ２５を有する。
【００２２】
大径吸込パイプ２３は、大径パイプ部２３ａと、この大径パイプ部２３ａの一端部２３ａ１とは反対側の他端部２３ａ２に連設された小径パイプ部２３ｂを有する。この小径パイプ部２３ｂを手元操作パイプ２１に着脱可能に嵌着することにより、大径吸込パイプ２３は手元操作パイプ２１に取り付けられる。小径吸込パイプ２５にはスキマノズル２６が着脱自在に設けられる。
【００２３】
また、手元操作パイプ２１と延長パイプ２２間には、手元操作パイプ２１に取付けられて手元ブラシ２７が設けられる。
【００２４】
図３に示すように、後ケース５の背面には、本発明の平面部をなし、電源プラグ３０を備えたコード３１を巻き取るコードリール３２（図２）を収容する略円形平面状のコードリール収容部３３が膨出して設けられ、さらに、コードリール収容部３３に同じ高さで連設され、略直方体形状の縦パイプ部１２ｂ（図２）を収容するパイプ収容部３４が膨出して設けられる。
【００２５】
コードリール３２を膨出するコードリール収容部３３に収容するので、コードリール３２の高さおよび／または直径を大きくすることができて、コード巻き取り容量を大きくでき、巻かれるコード３１の長さを長くすることができる。
【００２６】
なお、吸込口本体１５の後端に設けられる車輪３５は、コードリール収容部３３よりも後方に突出していない。
【００２７】
さらに、コードリール収容部３３の上側側面にはコード巻き取りボタン３６が設けられ、パイプ収容部３４の下側には吸込口体着脱ボタン３７が設けられる。
【００２８】
コード巻き取りボタン３６を押すことで、スプリングコイル（図示せず）によって常時コード３１を巻き取る方向に回転するように付勢されたコードリール３２を回転させる。
【００２９】
また、前ケース４と後ケース５の合わせ目部分には、図１に示すように、本体スイッチ３８が設けられ、さらに、前ケース４の上面には、延長管着脱ボタン３９が設けられる。
【００３０】
また、後ケース５の背面には、コード引出孔４０に近接して、プラグ収容部４１が設けられ、さらに、このプラグ収容部４１の下方には排気孔４２が設けられ、さらに、コードリール収容部３３の上方には、掃除機本体２の移動用の把手４３が設けられる。
【００３１】
図４および図５に示すように、集塵容器７は容器収納凹部６に着脱可能に装着され、ネットフィルタ８及び細塵フィルタ９は、通常の着脱に際しては集塵室７ａの底部を閉成する底蓋として機能し、塵埃を捨てるときには集塵室７ａの底部を下方に開くことを可能に集塵容器７に取り付けられている。
【００３２】
なお、本実施形態では、コードリール収容部とパイプ収容部を同一高さにしたが、コードリール収容部の方をパイプ収容部より高くしてもよく、また、図６に示すように、コードリール収容部の変形例として、コードリール収容部３３Ａに摩擦抵抗を増加させる凹凸３３ａを設け、この凹凸３３ａを図７に示す断面矩形状あるいは図８に示す三角形状にしてもよい。
【００３３】
次に、本実施形態のアップライト型電気掃除機の使用方法について説明する。
【００３４】
例えば、床面を掃除する場合、図１〜図３に示すように、コードリール３２からコード３１を引き出し、電源プラグ３０を電源コンセントに挿す。
【００３５】
ロック解除ボタン２４を解除して、小径吸込パイプ２５を伸縮して、ハンドル２１ａを所望の高さに調整する。
【００３６】
しかる後、本体スイッチ３８をオンにし、電動送風機１０を回転させて負圧を生じさせる。
【００３７】
その後、ハンドル２１ａを持って、掃除機本体２を僅かに後方に倒す。
【００３８】
掃除機本体２を後方に倒すことで、吸込口体１４の吸込風路１８に設けたシャッター１９が吸込風路１８を開放する。
【００３９】
このシャッター１９の開放により、細塵フィルタ９、ネットフィルタ８、集塵室７ａ、前後パイプ部１２ａ、縦パイプ部１２ｂ、接続パイプ１６、床に面した吸込口体１４の吸込風路１８および吸込室１７を介して吸込開口１７ａに負圧が生じる。
【００４０】
ハンドル２１ａを前進あるいは前後させることで、吸込口体１４を前進あるいは前後させて、床面に溜まった塵埃は、空気とともに吸込開口１７ａから、上記負圧の作用とは逆の流路で、集塵室７ａに吸込まれ、ネットフィルタ８及び細塵フィルタ９で除塵される。
【００４１】
除塵された空気は電動送風機１０を介して、排気孔４２から本体ケース３外に排出される。
【００４２】
一方、家具の隙間などを掃除する場合、同様に図１〜図３に示すように、コードリール３２からコード３１を引き出し、電源プラグ３０を電源コンセントに挿す。
【００４３】
アップライト型電気掃除機１を自立した状態に保つ。このアップライト型電気掃除機１の自立状態では、吸込口体１４の吸込風路１８に設けたシャッター１９は、吸込風路１８を閉止する。
【００４４】
スキマノズル２６が取付けられた小径吸込パイプ２５を掃除機本体２から外す。
【００４５】
しかる後、本体スイッチ３８をオンにし、電動送風機１０を回転させて負圧を生じさせる。
【００４６】
細塵フィルタ９、ネットフィルタ８、集塵室７ａ、集塵ホース２０、手元操作パイプ２１、大径吸込パイプ２３および小径吸込パイプ２５を介して、スキマノズル２６が負圧になる。
【００４７】
この負圧を利用し、スキマノズル２６を前進あるいは前後させ、家具の隙間などに溜まった塵埃は、空気とともにスキマノズル２６から、上記負圧の作用とは逆の流路で、集塵室７ａに吸込まれ、ネットフィルタ８および細塵フィルタ９で除塵される。
【００４８】
除塵された空気は電動送風機１０を介して、排気孔４２から本体ケース３外に排出される。
【００４９】
机の上などを掃除する場合、手元ブラシ２７を用いて、スキマノズルを用いる場合と同様の手順で掃除を行う。
【００５０】
掃除が継続され、集塵室７ａ、ネットフィルタ８、細塵フィルタ９に塵埃が溜まった場合、図４および図５に示すように、集塵容器７を容器収納凹部６から取出し、集塵室７ａの底部を下方に開き、集塵室７ａ、ネットフィルタ８、細塵フィルタ９に溜まった塵埃を捨てる。塵埃を捨てた後、集塵容器７を容器収納凹部６に再び収容する。
【００５１】
掃除終了後、アップライト型電気掃除機１は、図９に示すように、部屋の隅などに寄せ、壁に掃除機本体２の背面に設けた略円形平面状のコードリール収容部３３が接する状態で、アップライト型電気掃除機１を自立させ、あるいは壁に立てかけた状態で収納する。
【００５２】
このとき、吸込口本体１５の後端に設けられる車輪３５は、コードリール収容部３３よりも後方に突出していないので、コードリール収容部３３が壁に確実に接する。
【００５３】
アップライト型電気掃除機１は、略円形平面状のコードリール収容部３３が壁に接するので、転倒することなく自立させ、あるいは壁に立てかけて収納することができる。
【００５４】
また、コードリール収容部３３Ａに摩擦抵抗を増加させる凹凸３３ａを設けることで、壁とコードリール収容部３３Ａ間の摩擦を増加させ、より確実にアップライト型電気掃除機１の転倒を防止することができる。
【００５５】
さらに、コードリール収容部３３を後ケース５から膨出して設けるので、コードリール３２の高さおよび／または直径を大きくすることができて、コード巻き取り容量を大きくでき、巻かれるコード３１の長さを長くすることができる。
【００５６】
なお、本実施形態では、電源コードを用いて電動送風機に給電し、電源コードが巻かれるコードリールを平面部であるコードリール収容部に収容する例で説明したが、二次電池を用いて電動送風機に給電するアップライト型電気掃除機にあっては、平面部に二次電池を収容するようにしてもよい。これにより、二次電池の収容部が確保され、掃除機本体の小型化を図ることができる。
【００５７】
本実施形態のアップライト型電気掃除機によれば、転倒することなく立てかけて収納することができるアップライト型電気掃除機が実現される。
【図面の簡単な説明】
【００５８】
【図１】本発明の一実施形態に係るアップライト型電気掃除機の正面側の斜視図。
【図２】本発明の一実施形態に係るアップライト型電気掃除機の側面を示す概念図。
【図３】本発明の一実施形態に係るアップライト型電気掃除機の背面側の斜視図。
【図４】本発明の一実施形態に係るアップライト型電気掃除機の集塵容器の取り出し状態を示す斜視図。
【図５】本発明の一実施形態に係るアップライト型電気掃除機の集塵容器の塵埃を捨てる状態を示す斜視図。
【図６】本発明の一実施形態に係るアップライト型電気掃除機に設ける平面部の変形例の斜視図。
【図７】図６のＡ−Ａ線に沿い矩形状の凹凸を示す断面図。
【図８】図６のＡ−Ａ線に沿い三角形状の凹凸を示す断面図。
【図９】本発明の一実施形態に係るアップライト型電気掃除機の収納状態を示す斜視図。
【符号の説明】
【００５９】
１  アップライト型電気掃除機
２  掃除機本体
３  本体ケース
４  前ケース
４ａ  パイプ嵌合穴
５  後ケース
６  容器収納凹部
７  集塵容器
７ａ  集塵室
８  ネットフィルタ
９  細塵フィルタ
１０  電動送風機
１０ａ  吸込口
１１  吸込パイプ
１２  下吸込パイプ部
１２ａ  前後パイプ部
１２ｂ  縦パイプ部
１３  上吸込パイプ部
１４  吸込口体
１５  吸込口本体
１６  接続パイプ
１７  吸込室
１７ａ  吸込開口
１８  吸込風路
１９  シャッター
２０  集塵ホース
２１  手元操作パイプ
２１ａ  ハンドル
２２  延長パイプ
２３  大径吸込パイプ
２３ａ  大径パイプ部
２３ａ１  一端部
２３ａ２  他端部
２３ｂ  小径パイプ部
２４  ロック解除ボタン
２５  小径吸込パイプ
２６  スキマノズル
２７  手元ブラシ
３０  電源プラグ
３１  コード
３２  コードリール
３３  コードリール収容部
３３ａ  凹凸
３３Ａ  コードリール収容部
３４  パイプ収容部
３５  車輪
３６  コード巻き取りボタン
３７  吸込口体着脱ボタン
３８  本体スイッチ
３９  延長管着脱ボタン
４０  コード引出孔
４１  プラグ収容部
４２  排気孔
４３  把手
【図１】
2010104583.tif 000003
【図２】
2010104583.tif 000004
【図３】
2010104583.tif 000005
【図４】
2010104583.tif 000006
【図５】
2010104583.tif 000007
【図６】
2010104583.tif 000008
【図７】
2010104583.tif 000009
【図８】
2010104583.tif 000010
【図９】
2010104583.tif 000011